(57)【特許請求の範囲】
【請求項１】
複数のコンテンツ情報を取得する取得部と、
情報要素の構成についてのテンプレートに従って前記複数のコンテンツ情報の各々が配置されるページを生成する生成部と、
を備え、
前記生成部は、前記複数のコンテンツ情報が一方向に並べられ、前記一方向に並べられる前記複数のコンテンツ情報が前記一方向に対する異なる傾きを有する２つ以上の斜線によって互いに区切られるように、前記ページを生成し、また、前記複数のコンテンツ情報のうちの、隣接する２つのコンテンツ情報が、２つ以上の斜線によって区切られるように、前記ページを生成し、前記２つ以上の斜線間の傾きの差を、隣接する前記２つのコンテンツ情報の少なくとも一方に応じて決定し、
前記２つ以上の斜線は、前記一方向に対する同一の回転方向に傾斜し、異なる傾きを有する、情報処理装置。
【請求項２】
前記２つ以上の斜線は、前記一方向に対する第１の回転方向に傾斜した斜線と、前記第１の回転方向の反対方向である第２の回転方向に傾斜した斜線とを含む、請求項１に記載の情報処理装置。
【請求項３】
前記生成部は、前記複数のコンテンツ情報のうちの、２つのコンテンツ情報と隣接するコンテンツ情報が、前記第１の回転方向に傾斜した前記斜線によって前記２つのコンテンツ情報の一方と区切られ、前記第２の回転方向に傾斜した前記斜線によって前記２つのコンテンツ情報の他方と区切られるように、前記ページを生成する、請求項２に記載の情報処理装置。
【請求項４】
前記生成部は、前記複数のコンテンツ情報のうちの、隣接する２つのコンテンツ情報の一方が、前記第１の回転方向に傾斜した２つの斜線に挟まれ、隣接する前記２つのコンテンツ情報の他方が、前記第２の回転方向に傾斜した２つの斜線に挟まれるように、前記ページを生成する、請求項２または３に記載の情報処理装置。
【請求項５】
前記生成部は、前記第１の回転方向に傾斜した前記２つの斜線のうちの、隣接する前記２つのコンテンツ情報の前記他方により近い斜線と、前記第２の回転方向に傾斜した前記２つの斜線のうちの、隣接する前記２つのコンテンツ情報の前記一方により近い斜線との間の距離を、隣接する前記２つのコンテンツ情報の少なくとも一方に応じて決定する、請求項４に記載の情報処理装置。
【請求項６】
前記生成部は、前記複数のコンテンツ情報のうちの、隣接する２つのコンテンツ情報が、異なる傾きを有する２つ以上の斜線によって区切られ、前記ページのうちの前記２つ以上の斜線を含む範囲の画面が生成される際に前記範囲に応じて前記２つ以上の斜線の相対的な位置関係が変化するように、前記ページを生成する、請求項１〜５のいずれかに記載の通信制御装置。
【請求項７】
前記生成部は、前記２つ以上の斜線に含まれる各斜線の傾きを、当該各斜線により区切られる少なくとも１つのコンテンツ情報に応じて決定する、請求項１〜６のいずれかに記載の情報処理装置。
【請求項８】
前記生成部は、前記２つ以上の斜線に含まれる各斜線の傾きを、当該各斜線により区切られる２つのコンテンツ情報のうちの少なくとも一方の量に基づいて決定する、請求項７に記載の情報処理装置。
【請求項９】
前記生成部は、前記２つ以上の斜線に含まれる各斜線の傾きを、当該各斜線により区切られる２つのコンテンツ情報のうちの少なくとも一方に対応する情報サービスにより提供される情報の量に基づいて決定する、請求項７に記載の情報処理装置。
【請求項１０】
前記２つ以上の斜線のうちの１つ又は２つの斜線により区切られる前記ページの領域は、当該領域に隣接する別の領域と異なる色又は模様を有する、請求項１〜９のいずれかに記載の情報処理装置。
【請求項１１】
前記一方向に並べられた前記複数のコンテンツ情報のうち、偶数番目又は奇数番目のコンテンツ情報は、それぞれ、前記２つ以上の斜線のうちの１つ又は２つの斜線により区切られる前記ページの領域であって、同一の色又は模様を有する前記領域に、配置される、請求項１０に記載の情報処理装置。
【請求項１２】
前記２つ以上の斜線は、隣接する第１の斜線及び第２の斜線、前記第１の斜線に隣接する第３の斜線、並びに、前記第２の斜線に隣接する第４の斜線を含み、
前記ページは、前記第１の斜線と前記第２の斜線とにより区切られる第１の領域、前記第１の斜線と前記第３の斜線とにより区切られる第２の領域、及び、前記第２の斜線と前記第４の斜線とにより区切られる第３の領域を含み、
前記第１の領域は、前記複数のコンテンツ情報のうちの１つのコンテンツ情報が配置される領域であり、前記第２の領域の色及び前記第３の領域の色に応じた色を有する、
請求項１０に記載の情報処理装置。
【請求項１３】
前記２つ以上の斜線の各々は、異なる色又は模様を有する２つの領域の境界である、請求項１〜１２のいずれかに記載の情報処理装置。
【請求項１４】
前記複数のコンテンツ情報の各々は、複数の情報サービスにより提供されるコンテンツ情報である、請求項１〜１３のいずれかに記載の情報処理装置。
【請求項１５】
前記複数のコンテンツ情報の少なくとも１つのコンテンツ情報は、情報要素として文字情報及び画像情報を含む、請求項１〜１４のいずれかに記載の情報処理装置。
【請求項１６】
複数のコンテンツ情報を取得することと、
情報要素の構成についてのテンプレートに従って前記複数のコンテンツ情報の各々が配置されるページを生成することと、
を含み、
前記ページを生成することは、前記複数のコンテンツ情報が一方向に並べられ、前記一方向に並べられる前記複数のコンテンツ情報が前記一方向に対する異なる傾きを有する２つ以上の斜線によって互いに区切られるように、前記ページを生成し、また、前記複数のコンテンツ情報のうちの、隣接する２つのコンテンツ情報が、２つ以上の斜線によって区切られるように、前記ページを生成し、前記２つ以上の斜線間の傾きの差を、隣接する前記２つのコンテンツ情報の少なくとも一方に応じて決定することを含み、
前記２つ以上の斜線は、前記一方向に対する同一の回転方向に傾斜し、異なる傾きを有する、
情報処理装置により実行される情報処理方法。
【請求項１７】
コンピュータを、
複数のコンテンツ情報を取得する取得部と、
情報要素の構成についてのテンプレートに従って前記複数のコンテンツ情報の各々が配置されるページを生成する生成部と、
として機能させ、
前記生成部は、前記複数のコンテンツ情報が一方向に並べられ、前記一方向に並べられる前記複数のコンテンツ情報が前記一方向に対する異なる傾きを有する２つ以上の斜線によって互いに区切られるように、前記ページを生成し、また、前記複数のコンテンツ情報のうちの、隣接する２つのコンテンツ情報が、２つ以上の斜線によって区切られるように、前記ページを生成し、前記２つ以上の斜線間の傾きの差を、隣接する前記２つのコンテンツ情報の少なくとも一方に応じて決定し、
前記２つ以上の斜線は、前記一方向に対する同一の回転方向に傾斜し、異なる傾きを有する、
プログラム。
【発明の詳細な説明】
【技術分野】
【０００１】
本開示は、情報処理装置、情報処理方法及びプログラムに関する。
【背景技術】
【０００２】
近年、スマートフォン、タブレット端末などの情報処理装置が広く普及している。スマートフォン、タブレット端末などの情報処理装置では、様々なコンテンツ情報が表示される。とりわけ、複数のコンテンツ情報が表示される場合には、当該複数のコンテンツ情報が一覧として一方向に並べられることが多い。【０００３】
例えば、特許文献１には、コンテンツのサムネイル画像及び当該コンテンツの説明を含むブックマーク情報を一方向に（画面の上から下の方向）並べて表示する技術が記載されている。
【先行技術文献】
【特許文献】
【０００４】
【特許文献１】特開２０１３−１２６１５０号公報
【発明の概要】
【発明が解決しようとする課題】
【０００５】
しかし、上記特許文献１に開示された技術を含む従来の技術では、ユーザは、一方向（例えば、画面の縦方向）に並べられる複数のコンテンツ情報間の境界を把握しにくいこともある。例えば、上記複数のコンテンツ情報が、一方向（例えば、画面の縦方向）に並べられる場合に、互いに区切られず、又は、上記一方向に垂直な線（例えば、画面の横方向）によって区切られる。このような場合、ユーザにとってコンテンツ情報の一覧が単調に見え得る。そのため、例えば、あるコンテンツ情報の領域が長い場合には、その後続のコンテンツ情報が別のコンテンツ情報であるということが、ユーザにとって把握しにくい場合もあり得る。また、例えば、スマートフォン、タブレット端末などにおいて素早い画面スクロールにより、ユーザがコンテンツ情報を閲覧し、又はコンテンツ情報を探索する場合には、ユーザは、複数のコンテンツ情報の間の境界を把握しにくくなり得る。結果として、ユーザにとっての利便性が損なわれることが懸念される。【０００６】
そこで、複数のコンテンツ情報の間の境界をより容易に把握することを可能にする仕組みが提供されることが望ましい。
【課題を解決するための手段】
【０００７】
本開示によれば、複数のコンテンツ情報を取得する取得部と、情報要素の構成についてのテンプレートに従って上記複数のコンテンツ情報の各々が配置されるページを生成する生成部と、を備える情報処理装置が提供される。上記生成部は、上記複数のコンテンツ情報が一方向に並べられ、上記一方向に並べられる上記複数のコンテンツ情報が上記一方向に対する１つ以上の斜線によって互いに区切られるように、上記ページを生成する。【０００８】
また、本開示によれば、複数のコンテンツ情報を取得することと、情報要素の構成についてのテンプレートに従って上記複数のコンテンツ情報の各々が配置されるページを生成することと、を含む、情報処理装置により実行される情報処理方法が提供される。上記ページを生成することは、上記複数のコンテンツ情報が一方向に並べられ、上記一方向に並べられる上記複数のコンテンツ情報が上記一方向に対する１つ以上の斜線によって互いに区切られるように、上記ページを生成することを含む。【０００９】
また、本開示によれば、コンピュータを、複数のコンテンツ情報を取得する取得部と、情報要素の構成についてのテンプレートに従って上記複数のコンテンツ情報の各々が配置されるページを生成する生成部と、として機能させるためのプログラムが提供される。上記生成部は、上記複数のコンテンツ情報が一方向に並べられ、上記一方向に並べられる上記複数のコンテンツ情報が上記一方向に対する１つ以上の斜線によって互いに区切られるように、上記ページを生成する。
【発明の効果】
【００１０】
以上説明したように本開示によれば、複数のコンテンツ情報の間の境界をより容易に把握することを可能にすることが可能となる。なお、上記の効果は必ずしも限定的なものではなく、上記の効果とともに、または上記の効果に代えて、本明細書に記載された他の効果のうちのいずれかが奏されてもよい。
【図面の簡単な説明】
【００１１】
【図１】本開示の一実施形態に係る情報処理装の外観の一例を説明するための説明図である。
【図２】一実施形態に係る情報処理装置のハードウェア構成の一例を示すブロック図である。
【図３】一実施形態に係る情報処理装置の機能構成の一例を示すブロック図である。
【図４】一実施形態に従って生成されるページの第１の例を説明するための説明図である。
【図５】一実施形態に従って生成されるページの一部についての画面の一例を説明するための説明図である。
【図６】一実施形態に係る斜線の第１の例を説明するための説明図である。
【図７】一実施形態に係る斜線の第２の例を説明するための説明図である。
【図８】一実施形態に係る斜線とコンテンツ情報との位置関係の例を説明するための説明図である。
【図９】一実施形態に従って生成されるページの第２の例を説明するための説明図である。
【図１０】一実施形態に従って生成されるページの第３の例を説明するための説明図である。
【図１１】一実施形態に従って生成されるページの第４の例を説明するための説明図である。
【図１２】一実施形態に従って生成されるページの第５の例を説明するための説明図である。
【図１３】一実施形態に従って生成されるページの第６の例を説明するための第１の説明図である。
【図１４】一実施形態に従って生成されるページの第６の例を説明するための第２の説明図である。
【図１５】一実施形態に従って生成されるページの第７の例を説明するための説明図である。
【図１６】一実施形態に従って生成されるページの第８の例を説明するための説明図である。
【図１７】一実施形態に従って生成されるページの第９の例を説明するための説明図である。
【図１８】一実施形態に従って生成されるページの第１０の例を説明するための説明図である。
【図１９】一実施形態に係る情報処理の概略的な流れの一例を示すフローチャートである。
【発明を実施するための形態】
【００１２】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１３】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてコンテンツ情報２０Ａ、コンテンツ情報２０Ｂ及びコンテンツ情報２０Ｃのように区別する。ただし、実質的に同一の機能構成を有する複数の構成要素の各々を特に区別する必要がない場合、同一符号のみを付する。例えばコンテンツ情報２０Ａ、コンテンツ情報２０Ｂ及びコンテンツ情報２０Ｃを特に区別する必要が無い場合には、単にコンテンツ情報２０と称する。
【００１４】
なお、説明は以下の順序で行うものとする。
１．情報処理装置の外観
２．情報処理装置の構成
２．１．ハードウェア構成
３．２．機能構成
３．本実施形態に係るページの具体例
４．処理の流れ
５．変形例
６．まとめ
【００１５】
＜＜１．情報処理装置の外観＞＞
まず、図１を参照して、本開示の一実施形態に係る情報処理装置の外観を説明する。図１は、本開示の一実施形態に係る情報処理装置の外観の一例を説明するための説明図である。図１を参照すると、情報処理装置１００が示されている。この例では、情報処理装置１００は、端末装置であり、例えばスマートフォンである。
【００１６】
例えば、情報処理装置１００は、表示装置１０１を備える。情報処理装置１００は、情報処理装置１００のユーザに見せるための画面を、表示装置１０１に表示する。
【００１７】
また、例えば、情報処理装置１００は、タッチパネルを備える。この場合に、表示装置１０１は、タッチパネルの表示面である。そして、情報処理装置１００は、タッチパネルにおけるユーザのタッチを検出し、当該検出結果からユーザのタッチ操作を認識する。
【００１８】
＜＜２．情報処理装置の構成＞＞
続いて、図２〜図７を参照して、本実施形態に係る情報処理装置１００の構成の一例を説明する。
【００１９】
＜２．１．ハードウェア構成＞
次に、図２を参照して、本実施形態に係る情報処理装置のハードウェア構成の一例を説明する。図２は、本実施形態に係る情報処理装置１００のハードウェア構成の一例を示すブロック図である。図２を参照すると、情報処理装置１００は、プロセッサ９０１、メモリ９０３、ストレージ９０５、通信インタフェース９０７、タッチパネル９０９及びバス９１５を備える。
【００２０】
プロセッサ９０１は、例えばＣＰＵ（Central  Processing  Unit）、ＤＳＰ（Digital  Signal  Processor）又はＳｏＣ（System  on  Chip）であってよく、情報処理装置９００の様々な処理を実行する。メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。
【００２１】
通信インタフェース９０７は、情報処理装置１００が備える通信手段であり、ネットワークを介して（あるいは、直接的に）外部装置と通信する。通信インタフェース９０７は、無線通信用のインタフェースであってもよく、この場合に、例えば、通信アンテナ、ＲＦ（Radio  Frequency）回路、ベースバンドプロセッサなどを含んでもよい。また、通信インタフェース９０７は、有線通信用のインタフェースであってもよく、この場合に、例えば、接続端子、伝送回路及びその他の通信処理用の回路を含んでもよい。
【００２２】
タッチパネル９０９は、タッチ検出面９１１及び表示面９１３を含む。タッチ検出面９１１は、タッチパネル９０９におけるタッチ位置を検出する。タッチ検出面９１１は、静電容量方式、抵抗膜方式、光学式などの任意のタッチ検出方式に従って形成され得る。表示面９１３は、情報処理装置１００からの出力画像を表示する。表示面９１３は、例えば、液晶、有機ＥＬ（Organic  Light-Emitting  Diode：ＯＬＥＤ）、ＣＲＴ（Cathode  Ray  Tube）などを用いて実現され得る。
【００２３】
バス９１５は、プロセッサ９０１、メモリ９０３、ストレージ９０５、通信インタフェース９０７及びタッチパネル９０９を相互に接続する。バス９１５は、複数の種類のバスを含んでもよい。
【００２４】
なお、上述した表示装置１０１は、例えば、タッチパネル９０９である。
【００２５】
＜２．２．機能構成＞
次に、図３〜図７を参照して、本実施形態に係る情報処理装置１００の機能構成の一例を説明する。図３は、本実施形態に係る情報処理装置１００の機能構成の一例を示すブロック図である。図３を参照すると、情報処理装置１００は、通信部１１０、入力部１２０、表示部１３０、記憶部１４０及び処理部１５０を備える。
【００２６】
（通信部１１０）
通信部１１０は、他の装置と通信する。例えば、通信部１１０は、他の装置からの情報を受信し、当該情報を処理部１５０に提供する。また、通信部１１０は、処理部１５０からの情報を他の装置へ送信する。
【００２７】
（入力部１２０）
入力部１２０は、情報処理装置１００のユーザによる入力を受け付ける。そして、入力部１２０は、入力結果を処理部１５０に提供する。
【００２８】
（表示部１３０）
表示部１３０は、情報処理装置１００のユーザに見せるための画面を表示する。即ち、表示部１３０は、表示装置１０１に対応する。例えば、表示部１３０は、処理部１５０（表示制御部１５５）による制御に応じて、上記画面を表示する。
【００２９】
（記憶部１４０）
記憶部１４０は、情報処理装置１００の動作のためのプログラム及びデータを記憶する。例えば、記憶部１４０は、コンテンツ情報を記憶する。
【００３０】
（処理部１５０）
処理部１５０は、情報処理装置１００の様々な機能を提供する。処理部１５０は、コンテンツ情報取得部１５１、ページ生成部１５３及び表示制御部１５５を含む。
【００３１】
（コンテンツ情報取得部１５１）
コンテンツ情報取得部１５１は、複数のコンテンツ情報を取得する。コンテンツ情報取得部１５１は、通信部１１０を介して、他の装置により提供されるコンテンツ情報を取得してもよく、又は記憶部１４０に記憶されているコンテンツ情報を取得してもよい。
【００３２】
例えば、上記複数のコンテンツ情報は、複数の情報サービスにより提供されるコンテンツ情報である。例えば、上記複数の情報サービスは、ニュース配信サービス、動画配信サービス、ＳＮＳ（Social  Network  Service）などを含む。上記動画配信サービスは、ＴｏｕＴｕｂｅ（登録商標）であってもよく、上記ＳＮＳは、Ｆａｃｅｂｏｏｋ（登録商標）、ｍｉｘｉ（登録商標）、Ｔｗｉｔｔｅｒ（登録商標）であってもよい。一例として、上記複数のコンテンツ情報の各々は、それぞれ、別々の情報サービスにより提供されるコンテンツ情報である。具体的には、例えば、上記複数のコンテンツ情報の各々は、情報サービスにより提供される見出し情報、情報サービスにより提供される情報のサマリ情報などである。
【００３３】
また、例えば、上記複数のコンテンツ情報の少なくとも１つのコンテンツ情報は、情報要素として文字情報及び画像情報を含む。一例として、上記複数のコンテンツ情報に含まれるいずれかのコンテンツ情報は、情報サービスの名称、情報サービスの見出し情報又はサマリ情報などの文字情報と、情報サービスのロゴマーク、情報サービスの見出し画像などの画像情報とを情報要素として含む。
【００３４】
なお、上記複数のコンテンツ情報は、単一の情報サービスにより提供されるコンテンツ情報であってもよい。一例として、上記複数のコンテンツ情報の各々は、ニュース配信サービスにより提供され、個々のニュースのコンテンツ情報であってもよい。別の例として、上記複数のコンテンツ情報の各々は、動画配信サービスにより提供され、個々の動画のコンテンツ情報であってもよい。さらに別の例として、上記複数のコンテンツ情報の各々は、ＳＮＳにより提供され、個々の投稿又はメッセージのコンテンツ情報であってもよい。
【００３５】
（ページ生成部１５３）
ページ生成部１５３は、情報要素の構成についてのテンプレートに従って複数のコンテンツ情報の各々が配置されるページを生成する。
【００３６】
また、とりわけ本実施形態では、ページ生成部１５３は、上記複数のコンテンツ情報が一方向に並べられ、上記一方向に並べられ上記複数のコンテンツ情報が上記一方向に対する１つ以上の斜線によって互いに区切られるように、上記ページを生成する。以下、この点について図４を参照して具体的な一例を説明する。
【００３７】
図４は、本実施形態に従って生成されるページの第１の例を説明するための説明図である。図４を参照すると、ページ１０が示されている。ページ１０では、一方向１１に並べられた５つのコンテンツ情報２０Ａ、２０Ｂ、２０Ｃ、２０Ｄ、２０Ｅを含む。例えば、コンテンツ２０Ａは、料理情報の配信サービスにより提供されるコンテンツ情報である。また、コンテンツ２０Ｂは、スポーツニュースの配信サービスにより提供されるコンテンツ情報である。また、コンテンツ２０Ｃは、動画配信サービスにより提供されるコンテンツ情報である。また、コンテンツ２０Ｄは、ＳＮＳにより提供されるコンテンツ情報である。また、コンテンツ２０Ｅは、旅行ガイドサービスにより提供されるコンテンツ情報である。これらのコンテンツ情報２０Ａ、２０Ｂ、２０Ｃ、２０Ｄ、２０Ｅは、それぞれ、対応する情報サービスの見出し情報又はサマリ情報である。また、これらのコンテンツ情報２０Ａ、２０Ｂ、２０Ｃ、２０Ｄ、２０Ｅは、それぞれ、文字情報及び画像情報を情報要素として含み、各コンテンツ情報２０の情報要素は、対応するテンプレート（情報要素の構成についてのテンプレート）に従って配置されている。そして、本実施形態では、これらのコンテンツ情報２０Ａ、２０Ｂ、２０Ｃ、２０Ｄ、２０Ｅは、４つの斜線３０Ａ、３０Ｂ、３０Ｃ、３０Ｄによって互いに区切られる。換言すると、ページ１０は、４つの斜線３０Ａ、３０Ｂ、３０Ｃ、３０Ｄによって、５つの領域４０Ａ、４０Ｂ、４０Ｃ、４０Ｄ、４０Ｅに区切られ、各コンテンツ情報２０は、対応する領域４０において、対応するテンプレートに従って配置される。
【００３８】
上記ページは、例えば、一部又は全体が画面として表示される情報である。例えば、上記ページは、一部又は全体が画面となる画像そのものの情報であってもよく、当該画像を生成するための情報（例えば、文字情報、画像情報などの情報要素、当該情報要素の配置情報など）であってもよい。以下、図５を参照して、本実施形態に従って生成されるページの一部についての画面の具体例を説明する。
【００３９】
図５は、本実施形態に従って生成されるページの一部についての画面の一例を説明するための説明図である。図５を参照すると、情報処理装置１００が示されている。また、情報処理装置１００の表示装置１０１には、図４に示されたページ１０の一部が示されている。具体的には、表示装置１０１では、複数のコンテンツ情報２０は、一方向１１（即ち、画面の縦方向）に並べられ、斜線３０により区切られている。このように、ページ１０の一部又は全部が画面として表示される。
【００４０】
本実施形態に係るページは、図４（及び図５）を参照して説明した第１の例に限られない。本実施形態に係るページの他の例については、後に詳細に説明する。
【００４１】
上述したように、本実施形態では、複数のコンテンツ情報は、斜線により互いに区切られる。例えば、上記一方向（例えば、画面の縦方向）と垂直な線（即ち、画面の横方向の線）によりコンテンツ情報が区切られる場合、ユーザにとってコンテンツ情報の一覧が単調に見え得る。しかし、上述したように斜線によりコンテンツ情報が区切られることにより、コンテンツ情報の一覧の単調さがなくなり、１つのコンテンツ情報が配置されている領域がユーザによってより気付きやすくなる。そのため、例えば、あるコンテンツ情報の領域が長い場合であっても、ユーザは、その後続のコンテンツ情報が別のコンテンツ情報であるということをより容易に気付き得る。また、例えば、素早い画面スクロールにより、ユーザがコンテンツ情報を閲覧し、又はコンテンツ情報を探索する場合であっても、ユーザは、コンテンツ情報間の境界により気づきやすくなり得る。このように、複数のコンテンツ情報の間の境界をより容易に把握することが可能になる。
【００４２】
なお、本実施形態に係る上記複数の斜線を区切る上記１つ以上の斜線の各々は、周辺領域と異なる色を有する線であってもよく、又は、異なる色又は模様を有する２つの領域の境界であってもよい。以下、この点について、図６及び図７を参照して具体例を説明する。
【００４３】
図６は、本実施形態に係る斜線の第１の例を説明するための説明図である。図６を参照すると、ページ１０の一部が示されている。また、ページ１０において斜線３０が示されている。この例では、斜線３０は、周辺領域と異なる色を有する線である。
【００４４】
図７は、本実施形態に係る斜線の第２の例を説明するための説明図である。図７を参照すると、ページ１０の一部が示されている。また、ページ１０において斜線３０が示されている。この例では、斜線３０は、第１の色（又は第１の模様）を有する領域４０Ａと第２の色（又は第２の模様）を有する領域４０Ｂとの境界である。このように、本実施形態に係る斜線３０は、図６に示されるように、周辺領域と異なる色を有する線である必要はなく、図７に示されるように、異なる色又は模様を有する２つの領域の境界であってもよい。なお、領域４０Ａの色又は模様と領域４０Ｂの色又は模様とは、少なくとも境界付近で異なっていればよく、境界付近以外では同一であってもよい。また、一例として、領域４０Ｂ（若しくは領域４０Ａ）の色又は模様は、いずれかの画像の色又は模様であってもよい。例えば、領域４０Ａ（領域４０Ａのうちの少なくとも境界付近の部分）には画像が配置されず、領域４０Ｂ（領域４０Ｂのうちの少なくとも境界付近の部分）には画像が配置されてもよい。結果として、斜線３０は、画像が配置されていない領域と画像が配置されている領域との境界であってもよい。
【００４５】
また、各コンテンツ情報は、図５に示されるように、斜線により区切られる複数の領域のうちの１つの中に配置されてもよく、又は、以下の図８に示されるように、斜線により区切られる複数の領域のうちの１つから部分的にはみ出てもよい。
【００４６】
図８は、本実施形態に係る斜線とコンテンツ情報との位置関係の例を説明するための説明図である。図８を参照すると、コンテンツ情報２０Ａ及びコンテンツ情報２０Ｂが示されている。また、コンテンツ情報２０Ａ及びコンテンツ情報２０Ｂは、斜線３０によって互いに区切られている。そして、この例では、コンテンツ情報２０Ｂは、斜線３０によって領域４０Ａと区切られている領域４０Ｂから部分的にはみ出している。即ち、コンテンツ情報２０Ｂの一部は、コンテンツ情報２０Ａが配置される領域４０Ｂに存在している。このように、斜線３０により他のコンテンツ情報２０と区切られるコンテンツ情報２０の全てが領域４０の中に配置される必要はなく、コンテンツ情報２０の一部は、斜線により区切られる領域４０からはみ出してもよい。
【００４７】
なお、コンテンツ情報は、斜線により区切られる領域をはみだす代わりに、斜線に沿ってトリミングされてもよい。例えば、コンテンツ情報に情報要素として含まれる画像が、斜線付近に配置され、斜線に沿ってトリミングされてもよい。
【００４８】
（表示制御部１５５）
表示制御部１５５は、画面の表示を制御する。
【００４９】
例えば、表示制御部１５５は、生成されたページの一部又は全部の画面（画像）を生成する。この点については、図５を参照して説明したとおりである。そして、表示制御部１５５は、表示部１３０に、生成した画面を表示させる。
【００５０】
以上、情報処理装置１００の機能構成を説明した。例えば、通信部１１０、入力部１２０、表示部１３０、記憶部１４０及び処理部１５０は、通信インタフェース９０７、タッチ検出面９１１、表示面９１３及びストレージ９０５によりそれぞれ実現され得る。また、処理部１５０（とりわけ、コンテンツ情報取得部１５１及びページ生成部１５３）は、プロセッサ９０１により実現され得る。即ち、コンピュータをコンテンツ情報取得部１５１及びページ生成部１５３として機能させるためのプログラムがストレージ９０５又はメモリ９０３に保持され、プロセッサ９０１が当該プログラムを実行し得る。
【００５１】
＜＜３．本実施形態に係るページの具体例＞＞
続いて、図９〜図１８を参照して、本実施形態に係るページの具体例を説明する。ここでは、図４を参照して説明した第１の例以外の第２〜第１０の例を説明する。
【００５２】
（第２の例）
第２の例では、複数のコンテンツ情報を区切る１つ以上の斜線は、異なる傾きを有する２つ以上の斜線を含む。以下、この点について、図９を参照して具体例を説明する。
【００５３】
図９は、本実施形態に従って生成されるページの第２の例を説明するための説明図である。図９を参照すると、ページ１０において、複数のコンテンツ情報２０が一方向１１に並べられている。そして、当該複数のコンテンツ情報２０を区切る斜線３０は、異なる傾きを有している。
【００５４】
これにより、ページに含まれるコンテンツ情報の一覧の単調さがより一層なくなるので、１つのコンテンツ情報が配置されている領域がユーザによってより気付きやすくなる。
【００５５】
（第３の例）
第３の例では、複数のコンテンツ情報を区切る１つ以上の斜線は、上記複数のコンテンツ情報が並べられる一方向に対する第１の回転方向に傾斜した斜線と、上記第１の回転方向の反対方向である第２の回転方向に傾斜した斜線とを含む。さらに、上記複数のコンテンツ情報のうちの、２つのコンテンツ情報と隣接するコンテンツ情報が、上記第１の回転方向に傾斜した上記斜線によって上記２つのコンテンツ情報の一方と区切られ、上記第２の回転方向に傾斜した上記斜線によって上記２つのコンテンツ情報の他方と区切られる。ページ生成部１５３は、このように、ページを生成する。以下、この点について、図１０を参照して具体例を説明する。
【００５６】
図１０は、本実施形態に従って生成されるページの第３の例を説明するための説明図である。図１０を参照すると、ページ１０において、複数のコンテンツ情報２０が一方向１１に並べられている。ここで、コンテンツ情報２０Ｂは、コンテンツ情報２０Ａ及びコンテンツ情報２０Ｃと隣接する。そして、コンテンツ情報２０Ｂは、一方向１１に対する第１の回転方向（時計回り）に傾斜した斜線３０Ａにより、コンテンツ情報２０Ａと区切られ、一方向１１に対する第２の回転方向（反時計回り）に傾斜した斜線３０Ｂにより、コンテンツ情報２０Ｃと区切られる。
【００５７】
これにより、ページに含まれるコンテンツ情報の一覧の単調さがより一層なくなるので、１つのコンテンツ情報が配置されている領域がユーザによってより気付かれやすくなる。
【００５８】
（第４の例）
第４の例では、第３の例と同様に、複数のコンテンツ情報を区切る１つ以上の斜線は、上記複数のコンテンツ情報が並べられる一方向に対する第１の回転方向に傾斜した斜線と、上記第１の回転方向の反対方向である第２の回転方向に傾斜した斜線とを含む。一方、上記複数のコンテンツ情報のうちの、隣接する２つのコンテンツ情報の一方が、上記第１の回転方向に傾斜した２つの斜線に挟まれ、隣接する上記２つのコンテンツ情報の他方が、上記第２の回転方向に傾斜した２つの斜線に挟まれる。ページ生成部１５３は、このように、ページを生成する。以下、この点について、図１１を参照して具体例を説明する。
【００５９】
図１１は、本実施形態に従って生成されるページの第４の例を説明するための説明図である。図１１を参照すると、ページ１０において、複数のコンテンツ情報２０が一方向１１に並べられている。ここで、コンテンツ情報２０Ａは、一方向１１に対する第１の回転方向（時計回り）に傾斜した斜線３０Ａ及び斜線３０Ｂにより挟まれている。同様に、コンテンツ情報２０Ｃは、一方向１１に対する第１の回転方向（時計回り）に傾斜した斜線３０Ｅ及び斜線３０Ｆにより挟まれている。一方、コンテンツ情報２０Ａ及びコンテンツ情報２０Ｃに隣接するコンテンツ情報２０Ｂは、一方向１１に対する第２の回転方向（反時計回り）に傾斜した斜線３０Ｃ及び斜線３０Ｄにより挟まれている。
【００６０】
これにより、ページに含まれるコンテンツ情報の一覧の単調さがより一層なくなるので、１つのコンテンツ情報が配置されている領域がユーザによってより気付かれやすくなる。
【００６１】
なお、上記第１の回転方向に傾斜した上記２つの斜線のうちの、隣接する上記２つのコンテンツ情報の上記他方により近い斜線と、上記第２の回転方向に傾斜した上記２つの斜線のうちの、隣接する上記２つのコンテンツ情報の上記一方により近い斜線との間の距離が、隣接する上記２つのコンテンツ情報の少なくとも一方に応じて決定されてもよい。すなわち、図１１において、斜線３０Ｂと斜線３０Ｃとの間の距離が、コンテンツ情報２０Ａ及びコンテンツ情報２０Ｂの少なくとも一方に応じて決定されてもよい。また、斜線３０Ｄと斜線３０Ｅとの間の距離が、コンテンツ情報２０Ｂ及びコンテンツ情報２０Ｃの少なくとも一方に応じて決定されてもよい。例えば、斜線３０Ｂと斜線３０Ｃとの間の距離が、コンテンツ情報２０Ａの量に比例して大きくなってもよく、斜線３０Ｄと斜線３０Ｅとの間の距離が、コンテンツ情報２０Ｂの量に比例して大きくなってもよく、
【００６２】
これにより、例えば、コンテンツ情報に応じて境界をユーザにより気づかれやすくすることが可能になる。一例として、コンテンツ情報の量が多くなる場合に、上記距離を大きくすることにより、広い余白が生じる。その結果、例えば、コンテンツ情報の量が多いことに起因して素早い画面スクロールが行われる場合であっても、ユーザは、コンテンツ情報間の境界を容易に気付き得る。
【００６３】
（第５の例）
第５の例では、複数のコンテンツ情報のうちの、隣接する２つのコンテンツ情報が、２つ以上の斜線によって区切られる。また、上記２つ以上の斜線は、上記一方向に対する同一の回転方向に傾斜し、異なる傾きを有する。ページ生成部１５３は、このように、ページを生成する。以下、この点について、図１２を参照して具体例を説明する。
【００６４】
図１２は、本実施形態に従って生成されるページの第５の例を説明するための説明図である。図１２を参照すると、ページ１０において、隣接するコンテンツ情報２０Ａ及びコンテンツ情報２０Ｂは、同一の回転方向（時計周り）に傾斜するが異なる傾きを有する斜線３０Ａ及び３０Ｂにより区切られる。また、隣接するコンテンツ情報２０Ｂ及びコンテンツ情報２０Ｃは、同一の回転方向（反時計周り）に傾斜するが異なる傾きを有する斜線３０Ｃ及び３０Ｄにより区切られる。
【００６５】
これにより、ページに含まれるコンテンツ情報の一覧の単調さがより一層なくなるので、１つのコンテンツ情報が配置されている領域がユーザによってより気付かれやすくなる。
【００６６】
なお、同一の回転方向に傾斜する上記２つ以上の斜線間の傾きの差を、隣接する上記２つのコンテンツ情報の少なくとも一方に応じて決定してもよい。すなわち、図１２において、斜線３０Ａと斜線３０Ｂとの間の傾きの差が、コンテンツ情報２０Ａ及びコンテンツ情報２０Ｂの少なくとも一方に応じて決定されてもよい。また、斜線３０Ｃと斜線３０Ｄとの間の傾きの差が、コンテンツ情報２０Ｂ及びコンテンツ情報２０Ｃの少なくとも一方に応じて決定されてもよい。例えば、斜線３０Ａと斜線３０Ｂとの間の傾きの差が、コンテンツ情報２０Ａの量に比例して大きくなってもよく、斜線３０Ｃと斜線３０Ｄとの間の傾きの差が、コンテンツ情報２０Ｂの量に比例して大きくなってもよく、
【００６７】
これにより、例えば、コンテンツ情報に応じて境界をユーザにより気づかれやすくすることが可能になる。一例として、コンテンツ情報の量が多くなる場合に、上記傾きの差を大きくすることにより、斜線がより目立ちやすくなる。その結果、例えば、コンテンツ情報の量が多いことに起因して素早い画面スクロールが行われる場合であっても、ユーザは、コンテンツ情報間の境界を容易に気付き得る。
【００６８】
（第６の例）
第６の例では、複数のコンテンツ情報のうちの、隣接する２つのコンテンツ情報が、異なる傾きを有する２つ以上の斜線によって区切られる。そして、ページのうちの上記２つ以上の斜線を含む範囲の画面が生成される際に当該範囲に応じて上記２つ以上の斜線の相対的な位置関係が変化する。ページ生成部１５３は、このように、ページを生成する。以下、この点について、図１３及び図１４を参照して具体例を説明する。
【００６９】
図１３及び図１４は、本実施形態に従って生成されるページの第６の例を説明するための説明図である。まず、図１３を参照すると、情報処理装置１００が示され、表示装置１０１には、ページのある範囲の画像が表示さている。ここで、隣接するコンテンツ情報２０が、異なる傾きを有する斜線３０Ａ及び斜線３０Ｂにより区切られている。その後、画面の下方向への画面スクロールが行われると、図１４に示されるように、斜線３０Ａ及び斜線３０Ｂの相対的な位置関係が変化している。なお、斜線３０Ｃ及び斜線３０Ｄについても同様である。
【００７０】
これにより、画面となるページの範囲が変わると、斜線間の相対的な位置関係が変わるので、例えば、画面スクロールなどによりページのうちの表示範囲を変える際に、ユーザは境界に気づきやすくなる。
【００７１】
（第７の例）
第７の例では、複数のコンテンツ情報を区切る１つ以上の斜線に含まれる各斜線の傾きは、当該各斜線により区切られる少なくとも１つのコンテンツ情報に応じて決定される。また、例えば、上記１つ以上の斜線に含まれる各斜線の傾きが、当該各斜線により区切られる２つのコンテンツ情報のうちの少なくとも一方の量に基づいて決定する。以下、この点について、図１５を参照して具体例を説明する。
【００７２】
図１５は、本実施形態に従って生成されるページの第７の例を説明するための説明図である。図１５を参照すると、ページ１０において、（一方向１１に対する）斜線３０Ａ及び斜線３０Ｂの傾きは、斜線３０Ａ及び斜線３０Ｂにより他のコンテンツ情報と区切られるコンテンツ情報２０Ａの量に基づいて決定され、その結果、かなり大きくなっている。一方、（一方向１１に対する）斜線３０Ｃ及び斜線３０Ｄの傾きは、斜線３０Ｃ及び斜線３０Ｄにより他のコンテンツ情報と区切られるコンテンツ情報２０Ｂの量に基づいて決定され、その結果、より小さくなっている。
【００７３】
これにより、例えば、コンテンツ情報に応じて境界をユーザにより気づかれやすくすることが可能になる。一例として、コンテンツ情報の量が多くなる場合に、（一方向１１に対する）上記傾きをより小さくすることにより、斜線がより目立ちやすくなる。その結果、例えば、コンテンツ情報の量が多いことに起因して素早い画面スクロールが行われる場合であっても、ユーザは、コンテンツ情報間の境界を容易に気付き得る。また、ユーザは傾きによりコンテンツ情報の量を把握できるので、コンテンツ情報の閲覧におけるユーザにとっての利便性が高まる。
【００７４】
なお、上記１つ以上の斜線に含まれる各斜線の傾きは、当該各斜線により区切られる２つのコンテンツ情報のうちの少なくとも一方に対応する情報サービスにより提供される情報の量に基づいて決定されてもよい。一例として、コンテンツ情報がニュース配信サービスに対応し、当該ＳＮＳサービスにより提供される情報の量（例えば、新規ニュースの量）がより多い場合に、上記一方向に対する傾きがより小さくなってもよい。一方、上記情報の量がより少ない場合に、上記一方向に対する傾きがより大きくなってもよい。
【００７５】
これにより、例えば、コンテンツ情報に対応する情報サービスにより提供される量応じて境界をユーザにより気づかれやすくすることが可能になる。
【００７６】
（第８の例）
第８の例では、複数のコンテンツ情報を区切る１つ以上の斜線のうちの１つ又は２つの斜線により区切られるページの領域は、当該領域に隣接する別の領域と異なる色又は模様を有する。以下、この点について、図１６を参照して具体例を説明する。
【００７７】
図１６は、本実施形態に従って生成されるページの第８の例を説明するための説明図である。図１６を参照すると、ページ１０において、複数のコンテンツ情報２０が一方向１１に並べられている。また、斜線３０Ａ、３０Ｂ、３０Ｃにより、ページ１０は、領域４０Ａ、４０Ｂ、４０Ｃに区切られている。そして、領域４０Ｂは、隣接する領域４０Ａ及び領域４０Ｃと異なる色又は模様を有する。
【００７８】
これにより、例えば、斜線による区切りがユーザによってより気付かれやすくなる。
【００７９】
（第９の例）
第９の例でも、第８の例と同様に、複数のコンテンツ情報を区切る１つ以上の斜線のうちの１つ又は２つの斜線により区切られるページの領域は、当該領域に隣接する別の領域と異なる色又は模様を有する。そして、さらに、一方向に並べられた上記複数のコンテンツ情報のうち、偶数番目又は奇数番目のコンテンツ情報は、それぞれ、上記１つ以上の斜線のうちの１つ又は２つの斜線により区切られるページの領域であって、同一の色又は模様を有する上記領域に、配置される。以下、この点について、図１７を参照して具体例を説明する。
【００８０】
図１７は、本実施形態に従って生成されるページの第９の例を説明するための説明図である。図１７を参照すると、ページ１０において、一方向１１に並べられた５つのコンテンツ情報２０のうちの、奇数番目のコンテンツ情報２０Ａ、２０Ｃ及び２０Ｅは、同一の色又は模様を有するが、偶数番目のコンテンツ情報２０Ｂ及び２０Ｄは、別の色又は模様を有する。
【００８１】
これにより、例えば、斜線による区切りがユーザによってより気付かれやすくなり、コンテンツ情報の切り替わりもユーザにとってより分かりやすくなる。
【００８２】
（第１０の例）
第１０の例では、複数のコンテンツ情報を区切る１つ以上の斜線は、隣接する第１の斜線及び第２の斜線、上記第１の斜線に隣接する第３の斜線、並びに、上記第２の斜線に隣接する第４の斜線を含む。また、ページは、上記第１の斜線と上記第２の斜線とにより区切られる第１の領域、上記第１の斜線と上記第３の斜線とにより区切られる第２の領域、及び、上記第２の斜線と上記第４の斜線とにより区切られる第３の領域を含む。そして、上記第１の領域は、上記複数のコンテンツ情報のうちの１つのコンテンツ情報が配置される領域であり、上記第２の領域の色及び上記第３の領域の色に応じた色を有する。以下、この点について、図１８を参照して具体例を説明する。
【００８３】
図１８は、本実施形態に従って生成されるページの第１０の例を説明するための説明図である。図１８を参照すると、ページ１０において、隣接する斜線３０Ｂ及び３０Ｃ、斜線３０Ｂに隣接する斜線３０Ａ、並びに、斜線３０Ｃに隣接する斜線３０Ｄがある。また、ページ１０は、斜線３０Ｂ及び３０Ｃにより区切られる領域４０Ｂ、斜線３０Ｂ及び斜線３０Ａにより区切られる領域４０Ａ、並びに、斜線３０Ｃ及び斜線３０Ｄにより区切られる領域４０Ｃを含む。そして、領域４０Ｂは、コンテンツ情報２０が配置される領域であり、領域４０Ａの色及び領域４０Ｂの色に応じた色（例えば、領域４０Ａの色及び領域４０Ｂの色の和の色）を有する。
【００８４】
これにより、例えば、コンテンツ情報が配置される領域が強調される。よって、コンテンツ情報の切り替わりもユーザにとってより分かりやすくなる。
【００８５】
＜＜４．処理の流れ＞＞
続いて、図１９を参照して、本実施形態に係る情報処理の例を説明する。図１９は、本実施形態に係る情報処理の概略的な流れの一例を示すフローチャートである。
【００８６】
まず、コンテンツ情報取得部１５１は、複数のコンテンツ情報を取得する（Ｓ４０１）。
【００８７】
次に、ページ生成部１５３は、複数のコンテンツ情報が一方向に並べられ、上記一方向に並べられ上記複数のコンテンツ情報が上記一方向に対する１つ以上の斜線によって互いに区切られるように、ページを生成する（Ｓ４０３）。
【００８８】
その後、表示制御部１５５は、生成されたページの一部又は全部の画面（画像）を生成する（Ｓ４０５）。そして、表示制御部１５５は、表示部１３０に、生成された画面（ページの一部又は全部の画面）を表示させる（Ｓ４０７）。そして、処理は終了する。
【００８９】
＜＜５．変形例＞＞
続いて、本実施形態の変形例を説明する。
【００９０】
（第１の変形例）
上述したように、本開示の実施形態に係る情報処理装置１００がスマートフォンである例を説明したが、本開示の実施形態に係る情報処理装置１００は係る例に限定されない。
【００９１】
情報処理装置１００は、タブレット端末、ＰＣ（Personal  Computer）、携帯情報端末（Personal  Digital  Assistant）、電子書籍端末、カーナビゲーションシステム、ゲーム機器などの別の端末装置であってもよい。
【００９２】
（第２の変形例）
また、本開示の実施形態に係る情報処理装置１００が、端末装置であり、端末装置が、コンテンツ情報取得部１５１及びページ生成部１５３をもともと備えている例を説明した。即ち、一例として、端末装置が、コンピュータをコンテンツ情報取得部１５１及びページ生成部１５３として機能させるプログラムを保持し、当該プログラムを実行する例を説明した。しかし、本開示の実施形態は係る例に限定されない。
【００９３】
例えば、コンピュータをコンテンツ情報取得部１５１及びページ生成部１５３として機能させるプログラムが、必要に応じて（例えば、端末装置からの要求に応じて）、他の装置（例えば、サーバ）により端末装置に提供されてもよい。そして、当該端末装置が、提供されるプログラムを取得し、（プロセッサで）実行してもよい。
【００９４】
（第３の変形例）
また、本開示の実施形態に係る情報処理装置１００が、端末装置である例を説明したが、本開示の実施形態に係る情報処理装置１００は係る例に限定されない。
【００９５】
例えば、情報処理装置１００は、コンテンツ情報取得部１５１及びページ生成部１５３を備えるサーバであってもよい。そして、情報処理装置１００は、表示部１３０及び表示制御部１５５を備える端末装置に、生成されたページを提供してもよい。
【００９６】
＜＜６．まとめ＞＞
ここまで、図１〜図１９を用いて、本開示の実施形態に係る情報処理装置及び各処理を説明した。本開示に係る実施形態によれば、コンテンツ情報取得部１５１は、複数のコンテンツ情報を取得する。また、ページ生成部１５３は、情報要素の構成についてのテンプレートに従って複数のコンテンツ情報の各々が配置されるページを生成する。また、ページ生成部１５３は、上記複数のコンテンツ情報が一方向に並べられ、上記一方向に並べられ上記複数のコンテンツ情報が上記一方向に対する１つ以上の斜線によって互いに区切られるように、上記ページを生成する。
【００９７】
例えば、上記一方向（例えば、画面の縦方向）と垂直な線（即ち、画面の横方向の線）によりコンテンツ情報が区切られる場合、ユーザにとってコンテンツ情報の一覧が単調に見え得る。しかし、上述したように斜線によりコンテンツ情報が区切られることにより、コンテンツ情報の一覧の単調さがなくなり、１つのコンテンツ情報が配置されている領域がユーザによってより気付きやすくなる。そのため、例えば、あるコンテンツ情報の領域が長い場合であっても、ユーザは、その後続のコンテンツ情報が別のコンテンツ情報であるということをより容易に気付き得る。また、例えば、素早い画面スクロールにより、ユーザがコンテンツ情報を閲覧し、又はコンテンツ情報を探索する場合であっても、ユーザは、コンテンツ情報間の境界により気づきやすくなり得る。このように、複数のコンテンツ情報の間の境界をより容易に把握することが可能になる。
【００９８】
また、第２の例では、複数のコンテンツ情報を区切る１つ以上の斜線は、異なる傾きを有する２つ以上の斜線を含む。
【００９９】
これにより、ページに含まれるコンテンツ情報の一覧の単調さがより一層なくなるので、１つのコンテンツ情報が配置されている領域がユーザによってより気付きやすくなる。
【０１００】
また、第３の例では、複数のコンテンツ情報を区切る１つ以上の斜線は、上記複数のコンテンツ情報が並べられる一方向に対する第１の回転方向に傾斜した斜線と、上記第１の回転方向の反対方向である第２の回転方向に傾斜した斜線とを含む。さらに、上記複数のコンテンツ情報のうちの、２つのコンテンツ情報と隣接するコンテンツ情報が、上記第１の回転方向に傾斜した上記斜線によって上記２つのコンテンツ情報の一方と区切られる、上記第２の回転方向に傾斜した上記斜線によって上記２つのコンテンツ情報の他方と区切られる。
【０１０１】
これにより、ページに含まれるコンテンツ情報の一覧の単調さがより一層なくなるので、１つのコンテンツ情報が配置されている領域がユーザによってより気付かれやすくなる。
【０１０２】
また、第４の例では、複数のコンテンツ情報を区切る１つ以上の斜線は、上記複数のコンテンツ情報が並べられる一方向に対する第１の回転方向に傾斜した斜線と、上記第１の回転方向の反対方向である第２の回転方向に傾斜した斜線とを含む。さらに、上記複数のコンテンツ情報のうちの、隣接する２つのコンテンツ情報の一方が、上記第１の回転方向に傾斜した２つの斜線に挟まれ、隣接する上記２つのコンテンツ情報の他方が、上記第２の回転方向に傾斜した２つの斜線に挟まれる。
【０１０３】
これにより、ページに含まれるコンテンツ情報の一覧の単調さがより一層なくなるので、１つのコンテンツ情報が配置されている領域がユーザによってより気付かれやすくなる。
【０１０４】
以上、添付図面を参照しながら本開示の好適な実施形態を説明したが、本開示は係る例に限定されないことは言うまでもない。当業者であれば、請求の範囲に記載された範疇内において、各種の変更例または修正例に想到し得ることは明らかであり、それらについても当然に本開示の技術的範囲に属するものと了解される。
【０１０５】
例えば、ページにおいてコンテンツ情報が縦方向に並べられる例を説明したが、本開示は係る例に限定されない。例えば、ページにおいてコンテンツ情報が横方向に並べられてもよい。
【０１０６】
また、本明細書の情報処理における処理ステップは、必ずしもフローチャートに記載された順序に沿って時系列に実行されなくてよい。例えば、情報処理における処理ステップは、フローチャートとして記載した順序と異なる順序で実行されても、並列的に実行されてもよい。
【０１０７】
また、情報処理装置に内蔵されるＣＰＵ、ＲＯＭ及びＲＡＭなどのハードウェアに、上記情報処理装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行するプロセッサ（例えば、ＣＰＵ）を含む情報処理装置（例えば、処理回路、チップ）も提供されてもよい。
【０１０８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０９】
なお、以下のような構成も本開示の技術的範囲に属する。
（１）
複数のコンテンツ情報を取得する取得部と、
情報要素の構成についてのテンプレートに従って前記複数のコンテンツ情報の各々が配置されるページを生成する生成部と、
を備え、
前記生成部は、前記複数のコンテンツ情報が一方向に並べられ、前記一方向に並べられる前記複数のコンテンツ情報が前記一方向に対する１つ以上の斜線によって互いに区切られるように、前記ページを生成する、
情報処理装置。
（２）
前記１つ以上の斜線は、異なる傾きを有する２つ以上の斜線を含む、前記（１）に記載の情報処理装置。
（３）
前記１つ以上の斜線は、前記一方向に対する第１の回転方向に傾斜した斜線と、前記第１の回転方向の反対方向である第２の回転方向に傾斜した斜線とを含む、前記（２）に記載の情報処理装置。
（４）
前記生成部は、前記複数のコンテンツ情報のうちの、２つのコンテンツ情報と隣接するコンテンツ情報が、前記第１の回転方向に傾斜した前記斜線によって前記２つのコンテンツ情報の一方と区切られ、前記第２の回転方向に傾斜した前記斜線によって前記２つのコンテンツ情報の他方と区切られるように、前記ページを生成する、前記（３）に記載の情報処理装置。
（５）
前記生成部は、前記複数のコンテンツ情報のうちの、隣接する２つのコンテンツ情報の一方が、前記第１の回転方向に傾斜した２つの斜線に挟まれ、隣接する前記２つのコンテンツ情報の他方が、前記第２の回転方向に傾斜した２つの斜線に挟まれるように、前記ページを生成する、前記（３）又は（４）に記載の情報処理装置。
（６）
前記生成部は、前記第１の回転方向に傾斜した前記２つの斜線のうちの、隣接する前記２つのコンテンツ情報の前記他方により近い斜線と、前記第２の回転方向に傾斜した前記２つの斜線のうちの、隣接する前記２つのコンテンツ情報の前記一方により近い斜線との間の距離を、隣接する前記２つのコンテンツ情報の少なくとも一方に応じて決定する、前記（５）に記載の情報処理装置。
（７）
前記生成部は、前記複数のコンテンツ情報のうちの、隣接する２つのコンテンツ情報が、２つ以上の斜線によって区切られるように、前記ページを生成し、
前記２つ以上の斜線は、前記一方向に対する同一の回転方向に傾斜し、異なる傾きを有する、
前記（２）〜（６）のいずれか１項に記載の情報処理装置。
（８）
前記生成部は、前記２つ以上の斜線間の傾きの差を、隣接する前記２つのコンテンツ情報の少なくとも一方に応じて決定する、前記（７）に記載の情報処理装置。
（９）
前記生成部は、前記複数のコンテンツ情報のうちの、隣接する２つのコンテンツ情報が、異なる傾きを有する２つ以上の斜線によって区切られ、前記ページのうちの前記２つ以上の斜線を含む範囲の画面が生成される際に前記範囲に応じて前記２つ以上の斜線の相対的な位置関係が変化するように、前記ページを生成する、前記（２）〜（８）のいずれか１項に記載の通信制御装置。
（１０）
前記生成部は、前記１つ以上の斜線に含まれる各斜線の傾きを、当該各斜線により区切られる少なくとも１つのコンテンツ情報に応じて決定する、前記（１）〜（９）のいずれか１項に記載の情報処理装置。
（１１）
前記生成部は、前記１つ以上の斜線に含まれる各斜線の傾きを、当該各斜線により区切られる２つのコンテンツ情報のうちの少なくとも一方の量に基づいて決定する、前記（１０）に記載の情報処理装置。
（１２）
前記生成部は、前記１つ以上の斜線に含まれる各斜線の傾きを、当該各斜線により区切られる２つのコンテンツ情報のうちの少なくとも一方に対応する情報サービスにより提供される情報の量に基づいて決定する、前記（１０）に記載の情報処理装置。
（１３）
前記１つ以上の斜線のうちの１つ又は２つの斜線により区切られる前記ページの領域は、当該領域に隣接する別の領域と異なる色又は模様を有する、前記（１）〜（１２）のいずれか１項に記載の情報処理装置。
（１４）
前記一方向に並べられた前記複数のコンテンツ情報のうち、偶数番目又は奇数番目のコンテンツ情報は、それぞれ、前記１つ以上の斜線のうちの１つ又は２つの斜線により区切られる前記ページの領域であって、同一の色又は模様を有する前記領域に、配置される、前記（１３）に記載の情報処理装置。
（１５）
前記１つ以上の斜線は、隣接する第１の斜線及び第２の斜線、前記第１の斜線に隣接する第３の斜線、並びに、前記第２の斜線に隣接する第４の斜線を含み、
前記ページは、前記第１の斜線と前記第２の斜線とにより区切られる第１の領域、前記第１の斜線と前記第３の斜線とにより区切られる第２の領域、及び、前記第２の斜線と前記第４の斜線とにより区切られる第３の領域を含み、
前記第１の領域は、前記複数のコンテンツ情報のうちの１つのコンテンツ情報が配置される領域であり、前記第２の領域の色及び前記第３の領域の色に応じた色を有する、
前記（１３）に記載の情報処理装置。
（１６）
前記１つ以上の斜線の各々は、異なる色又は模様を有する２つの領域の境界である、前記（１）〜（１５）のいずれか１項に記載の情報処理装置。
（１７）
前記複数のコンテンツ情報の各々は、複数の情報サービスにより提供されるコンテンツ情報である、前記（１）〜（１６）のいずれか１項に記載の情報処理装置。
（１８）
前記複数のコンテンツ情報の少なくとも１つのコンテンツ情報は、情報要素として文字情報及び画像情報を含む、前記（１）〜（１７）のいずれか１項に記載の情報処理装置。
（１９）
複数のコンテンツ情報を取得することと、
情報要素の構成についてのテンプレートに従って前記複数のコンテンツ情報の各々が配置されるページを生成することと、
を含み、
前記ページを生成することは、前記複数のコンテンツ情報が一方向に並べられ、前記一方向に並べられる前記複数のコンテンツ情報が前記一方向に対する１つ以上の斜線によって互いに区切られるように、前記ページを生成することを含む、
情報処理装置により実行される情報処理方法。
（２０）
コンピュータを、
複数のコンテンツ情報を取得する取得部と、
情報要素の構成についてのテンプレートに従って前記複数のコンテンツ情報の各々が配置されるページを生成する生成部と、
として機能させ、
前記生成部は、前記複数のコンテンツ情報が一方向に並べられ、前記一方向に並べられる前記複数のコンテンツ情報が前記一方向に対する１つ以上の斜線によって互いに区切られるように、前記ページを生成する、
プログラム。
【符号の説明】
【０１１０】
１０      ページ
２０      コンテンツ情報
３０      斜線
４０      領域
１００    情報処理装置
１５１    コンテンツ情報取得部
１５３    ページ生成部
【図１】
0006451628.tif 000002
【図２】
0006451628.tif 000003
【図３】
0006451628.tif 000004
【図４】
0006451628.tif 000005
【図５】
0006451628.tif 000006
【図６】
0006451628.tif 000007
【図７】
0006451628.tif 000008
【図８】
0006451628.tif 000009
【図９】
0006451628.tif 000010
【図１０】
0006451628.tif 000011
【図１１】
0006451628.tif 000012
【図１２】
0006451628.tif 000013
【図１３】
0006451628.tif 000014
【図１４】
0006451628.tif 000015
【図１５】
0006451628.tif 000016
【図１６】
0006451628.tif 000017
【図１７】
0006451628.tif 000018
【図１８】
0006451628.tif 000019
【図１９】
0006451628.tif 000020